(57)【要約】【課題】緩衝物の位置ずれや破損を防止すると共に、緩衝物を収納物に応じて配置可能な緩衝材を提供する。【解決手段】緩衝材５０は、固定板１、緩衝物４１及び規制部２０から形成されている。規制部２０は、第１の切り込み部１２を自由端部１１ａに有する切り起こし片１１と、第２の切り込み部１４を係合用自由端部１３ａに有する係合用切り起こし部１３とを交差させ、第１及び第２切り込み部１２、１４を係合することにより組み立てられ、規制部２０の内側面１１ｂ、１３ｂは固定板１の上面１ａと、切り込み片１１の幅方向に見て略三角形状を形成している。また、緩衝物４１は、規制部２０の端部２０ａと対向する位置において、固定板１と切り起こし部１５の側面に接着されている。【選択図】図３
2009202924.tif 000002
【特許請求の範囲】
【請求項１】
一枚板から形成される固定板に、緩衝作用を有する緩衝物を接着することにより構成される緩衝材において、
前記固定板の所定の位置には、切り起こし片と、該切り起こし片の自由端部を係合する係合部と、が形成されており、
前記自由端部を前記係合部と係合することにより、前記切り起こし片の幅方向に見て前記固定板の上面と略三角形状を形成する２つの内側面を有し、前記緩衝物の移動を規制する規制部が組み立てられ、
前記緩衝物を、前記固定板における前記規制部の前記幅方向一端部と対向する位置に接着することを特徴とする緩衝材。
【請求項２】
前記切り起こし片は略Ｌ字形状に折り曲げ可能であり、
前記規制部は、前記切り起こし片を折り曲げ、前記自由端部を前記係合部と係合することにより組み立てられることを特徴とする請求項１に記載の緩衝材。
【請求項３】
前記自由端部には差し込み片が形成されており、
前記係合部は、前記差し込み片が差し込まれる差し込み穴であることを特徴とする請求項２に記載の緩衝材。
【請求項４】
前記固定板における前記切り起こし片と所定間隔を隔てて反対側には、前記係合部が配置された係合用自由端部を有し、前記切り起こし片と交差可能な係合用切り起こし片が形成されており、
前記規制部は、前記切り起こし片を前記係合用切り起こし片と交差させ、前記自由端部を前記係合部と係合することにより組み立てられることを特徴とする請求項１に記載の緩衝材。
【請求項５】
前記自由端部には第１の切り欠き部が形成されており、
前記係合部は、前記第１の切り欠き部と係合する第２の切り欠き部であることを特徴とする請求項４に記載の緩衝材。
【請求項６】
前記２つの内側面の前記固定板からの突出長さが略同一であることを特徴とする請求項１〜５のいずれかに記載の緩衝材。
【請求項７】
前記固定板には前記緩衝物を接着するための切り起こし部が形成されており、前記緩衝物の底面と隣接する少なくとも１側面を前記切り起こし部の側面に接着することを特徴とする請求項１〜６のいずれかに記載の緩衝材。
【請求項８】
前記固定板が、平板と波板とから構成され、前記平板と前記波板により形成される細管の長手方向に平行に荷重を受ける縦目方向と、前記細管の長手方向に直角に荷重を受ける横目方向とを有する段ボールシートから形成されたことを特徴とする請求項１〜７のいずれかに記載の緩衝材。
【請求項９】
前記緩衝物は、平板と波板とから構成され、前記平板と前記波板により形成される細管の長手方向に平行に荷重を受ける縦目方向と、前記細管の長手方向に直角に荷重を受ける横目方向とを有する段ボールシートを複数枚積層させて成る積層体であることを特徴とする請求項１〜８に記載の緩衝材。
【発明の詳細な説明】
【技術分野】
【０００１】
本発明は、製品を運搬する際に生じる外部衝撃から製品を保護するための緩衝材に関するものである。
【背景技術】
【０００２】
包装容器に各種製品等の収納物を収納する場合、包装容器と製品の間が大きいと運搬時等に製品が包装容器内でがたつき、製品の損傷や変形が発生する恐れがある。従って、製品の損傷や変形を防止するため、包装容器と製品との隙間に緩衝材を配置し、製品を固定することが一般に行われており、この種の緩衝材として、緩衝作用を有する積層段ボール又は発泡スチロール等を任意の形状に成形したものを、段ボール等から形成される一枚板に固着したものを用いることがある。
【０００３】
しかし、このような緩衝材の上部に重量の大きい収納物を載置して包装した場合、輸送時の振動や、荷下ろし時のフォークリフト等による衝撃により、図１２（ａ）に示すように斜め方向（矢印方向）に緩衝物４１の位置ずれが生じたり、あるいは図１２（ｂ）に示すように緩衝材４１が下方（矢印方向）に潰れて破損し位置ずれが生じ易くなるおそれがある。かかる場合には、収納物の破損や飛び出し等のおそれがあり、収納物を十分に保護することができない。
【０００４】
そこで、このような問題を解決するための方法が提案されている。例えば、特許文献１には、一枚のシートから形成した下クッション（緩衝物）から延設された係合部により、一枚のシートから形成されるトレイの底部を囲む第１側壁と第２側壁とを連結し、トレイを形成すると共に該トレイに下クッションを固定することにより、収納物を載置した下クッションがトレイ上でずれるのを防止する方法が開示されている。
【特許文献１】特開２０００−２６４３７４号公報
【発明の開示】
【発明が解決しようとする課題】
【０００５】
しかし、特許文献１の方法では、下クッションから延設された係合部によりトレイの側壁を連結するため、緩衝物をトレイの端部近傍に設置する必要があり、緩衝材を収納物に応じて配置することが困難である。
【０００６】
本発明は、上記の問題に鑑み、緩衝物の位置ずれや破損を防止すると共に、緩衝物を収納物に応じて配置可能な緩衝材を提供することを目的とする。
【課題を解決するための手段】
【０００７】
上記目的を達成するために本発明は、一枚板から形成される固定板に、緩衝作用を有する緩衝物を接着することにより構成される緩衝材において、前記固定板の所定の位置には、切り起こし片と、該切り起こし片の自由端部を係合する係合部と、が形成されており、前記自由端部を前記係合部と係合することにより、前記切り起こし片の幅方向に見て前記固定板の上面と略三角形状を形成する２つの内側面を有し、前記緩衝物の移動を規制する規制部が組み立てられ、前記緩衝物を、前記固定板における前記規制部の前記幅方向一端部と対向する位置に接着することを特徴としている。
【０００８】
また本発明は、前記切り起こし片は略Ｌ字形状に折り曲げ可能であり、前記規制部は、前記切り起こし片を折り曲げ、前記自由端部を前記係合部と係合することにより組み立てられることを特徴としている。
【０００９】
また本発明は、前記自由端部には差し込み片が形成されており、前記係合部は、前記差し込み片が差し込まれる差し込み穴であることを特徴としている。
【００１０】
また本発明は、前記固定板における前記切り起こし片と所定間隔を隔てて反対側には、前記係合部が配置された係合用自由端部を有し、前記切り起こし片と交差可能な係合用切り起こし片が形成されており、前記規制部は、前記切り起こし片を前記係合用切り起こし片と交差させ、前記自由端部を前記係合部と係合することにより組み立てられることを特徴としている。
【００１１】
また本発明は、前記自由端部には第１の切り欠き部が形成されており、前記係合部は、前記第１の切り欠き部と係合する第２の切り欠き部であることを特徴としている。
【００１２】
また本発明は、前記２つの内側面の前記固定板からの突出長さが略同一であることを特徴としている。
【００１３】
また本発明は、前記固定板には前記緩衝物を接着するための切り起こし部が形成されており、前記緩衝物の底面と隣接する少なくとも１側面を前記切り起こし部の側面に接着することを特徴としている。
【００１４】
また本発明は、前記固定板が、平板と波板とから構成され、前記平板と前記波板により形成される細管の長手方向に平行に荷重を受ける縦目方向と、前記細管の長手方向に直角に荷重を受ける横目方向とを有する段ボールシートから形成されたことを特徴としている。
【００１５】
また本発明は、前記緩衝物は、平板と波板とから構成され、前記平板と前記波板により形成される細管の長手方向に平行に荷重を受ける縦目方向と、前記細管の長手方向に直角に荷重を受ける横目方向とを有する段ボールシートを複数枚積層させて成る積層体であることを特徴としている。
【発明の効果】
【００１６】
本発明の第１の構成によれば、一枚板から形成される固定板に緩衝物を接着することにより構成される緩衝材において、固定板に形成された切り起こし片を引き起こし、その自由端部を係合部と係合することにより、切り起こし片の幅方向に見て固定板上面と略三角形状を形成する２つの内側面を有し、緩衝物の移動を規制する規制部を組み立て、緩衝物を固定板における規制部の上記幅方向一端部と対向する位置に接着することができる。これにより、緩衝物の位置ずれや破損を防止すると共に、緩衝物を収納物に応じて配置することが可能となる。
【００１７】
また、本発明の第２の構成によれば、上記第１の構成の緩衝材において、切り起こし片を略Ｌ字形状に折り曲げ可能とし、規制部を、切り起こし片を折り曲げ、自由端部を係合部と係合して組み立てることにより、簡単な構成で容易に規制部を組み立てることができる。
【００１８】
また、本発明の第３の構成によれば、上記第２の構成の緩衝材において、自由端部に差し込み片を形成し、係合部を差し込み穴とすることにより、より簡単な構成で容易に規制部を組み立てることができる。
【００１９】
また、本発明の第４の構成によれば、上記第１の構成の緩衝材において、固定板における切り起こし片と所定間隔を隔てて反対側に、係合部が配置された係合用自由端部を有し、切り起こし片と交差可能な係合用切り起こし片を形成し、規制部を、切り起こし片を係合用切り起こし片と交差させ、自由端部を係合部と係合して組み立てることができる。これにより、簡単な構成で容易に規制部を組み立てることができる。
【００２０】
また、本発明の第５の構成によれば、上記第４の構成の緩衝材において、自由端部に第１の切り欠き部を形成し、係合部を第１の切り欠き部と係合する第２の切り欠き部とすることにより、より簡単な構成で容易に規制部を組み立てることができる。
【００２１】
また、本発明の第６の構成によれば、上記第１〜第５のいずれかの構成の緩衝材において、２つの内側面の固定板からの突出長さを略同一とすることにより、規制部をより安定させることができる。
【００２２】
また、本発明の第７の構成によれば、上記第１〜第６のいずれかの構成の緩衝材において、固定板に緩衝物を接着するための切り起こし部を形成し、緩衝物の底面と隣接する少なくとも１側面を切り起こし部の側面に接着することにより、緩衝物の位置ずれや破損をより防止することができる。
【００２３】
また、本発明の第８の構成によれば、上記第１〜第７のいずれかの構成の緩衝材において、固定板に縦目方向及び横目方向を有する段ボールシートから形成された一枚板を用いることにより、コストダウンを図ると共に細管の配設方向によって耐圧強度を変更することができる。
【００２４】
また、本発明の第９の構成によれば、上記第１〜第８のいずれかの構成の緩衝材において、緩衝物を、縦目方向及び横目方向を有する段ボールシートを複数枚積層させて成る積層体とすることによって、緩衝物の耐圧強度やクッション性を高めることができる。
【発明を実施するための最良の形態】
【００２５】
以下、図面を参照しながら本発明の実施形態について説明する。図１は、本発明の第１実施形態に係る緩衝材に用いられる固定板の展開図であり、図２は、図１の領域Ａを図の下側から見た部分断面図である。なお、図１中、抜き部分をハッチングで示し、切り込み線を実線、谷折線を破線で表示している。
【００２６】
図１に示すように、固定板１は一枚のシートから成り、固定板１の略中央部には、折り線Ｌ１を介して左側に固定板１と連続する切り起こし片１１が形成されている。切り起こし片１１の自由端部１１ａにおける上側の側端辺には、細長い略矩形状の第１の切り欠き部１２が形成されている。
【００２７】
また、切り起こし片１１と所定間隔を隔てて右側には、折り線Ｌ２と略平行な折り線Ｌ２を介して右側に固定板１と連続する係合用切り起こし片１３が形成されている。係合用切り起こし片１３の係合用自由端部１３ａにおける下側の側端辺には、第１切り込み部１２と係合可能な細長い略矩形状の第２の切り欠き部（係合部）１４が形成されている。
【００２８】
また、切り起こし片１１、第１の切り欠き部１２、係合用切り起こし片１３及び第２の切り欠き部１４は、切り起こし片１１及び係合用切り起こし片１３を交差させ、第１の切り欠き部１２と第２の切り欠き部１４とを係合させたとき、後述する図５に示すように、切り起こし片１１の幅方向（図５の紙面と垂直方向）に見て、切り起こし片１１の内側面１１ｂ及び係合用切り起こし片１３の内側面１３ｂが固定板１の上面１ａと略三角形を形成し、さらに内側面１１ｂ及び内側面１３ｂの固定板１からの突出長さが略同一となるよう形成されている。
【００２９】
また、固定板１の略中央部において、切り起こし片１１及び係合用切り起こし片１３から図１の上側に所定間隔を隔てた位置には、折り線Ｌ３を介して上側に固定板１と連続する切り起こし部１５が形成されている。切り起こし部１５には、折り線Ｌ３と略平行な折り線Ｌ４、Ｌ５が形成されている。
【００３０】
切り起こし部１５、折り線Ｌ４及びＬ５は、切り起こし部１５の側面が、後述するように緩衝物４１（図３及び図５参照）における底面と隣接する切り起こし部１５側の側面、上面、及び、切り起こし片１１及び係合用切り起こし片１３側の側面、の３側面と当接できるような位置関係で形成されている。
【００３１】
固定板１は、図２に示すように、段ボールシート２を用いることとした。段ボールシート２は、平板３と、連続する山谷の波状に曲げた波板４とを用い、平板３で波板４を挟み、平板３と波板４の山谷とを接着剤で接合することにより、平板３の間に波板４により複数の細管５が形成されるように構成したものである。図１では、領域Ａ（一点鎖線）に示すように、細管５の長手方向が図の上下方向となっている。
【００３２】
また、段ボールシート２は、細管５の長手方向と垂直方向（横目方向、図２の上下方向若しくは左右方向）からの荷重に対しては、波板４が変形することによりクッション性を発揮し、細管５の長手方向（縦目方向、図２の紙面と垂直方向）からの荷重に対しては、波板４が変形し難いことにより耐圧強度が高くなり、荷重衝撃に対する変形量が小さくなる。また、段ボールシート２を積層することにより、かかる作用効果を高めることができる。
【００３３】
ここでは、固定板１として段ボールシート２から形成された一枚板を用いることによって、成形が容易となり、細管５の配設方向により、クッション性を高めたり、或いは耐圧強度を高めることが可能となり、コストダウンを図ることもできる。しかし、固定板１の材質は特に限定されるものではなく、その他、樹脂製シート等を用いることもできる。また、段ボールシート２や樹脂製シート等は、積層体とすることもできる。
【００３４】
また、図１に示すように、細管５を上下方向（切り起こし部１５の折り曲げ方向と略平行、切り起こし片１１及び係合用切り起こし片１３の幅方向）としたため、切り起こし部１５、切り起こし片１１及び係合用切り起こし片１３の図１の上下方向の耐圧強度を高めることができる。なお、固定板１における細管５の配置方向は、これらの耐圧強度或いは固定板１からの剥がれ難さ等を考慮して適宜設計することができる。
【００３５】
図３は、緩衝材を組み立てた状態を示す斜視図であり、図４は、図３の領域Ｓにおける切り起こし片の自由端部と係合用切り起こし片の係合用自由端部とが接近した状態を示す概念図であり、図５は、図３の左下側から見た側面図である。また、図６は、本実施形態の緩衝材が収納箱に収納された状態を示す斜視図である。次に緩衝材５０の組み立てについて説明する。
【００３６】
図３に示すように緩衝物４１は、断面矩形状であり、細管５が同一方向（図３のＢ方向）となるよう段ボールシート２が積層された積層体である。まず、折り線Ｌ３に沿って切り起こし部１５を引き起こし、折り線Ｌ４及びＬ５に沿って折り曲げると、切り起こし部１５と固定板１の上面部１ａとにより、側面視ロの字形状の空間部が形成される。かかる空間部に緩衝物４１を挿入し、緩衝物４１の底面を固定板１の上面部１ａに接着する。
【００３７】
さらに、緩衝物４１における底面と隣接する切り起こし部１５側（図３の右上側）の側面、上面、及び、切り起こし片１１及び係合用切り起こし片１３側（図３の左下側）の側面、の３側面を切り起こし部１５の側面に接着する。
【００３８】
そして、折り線Ｌ１及びＬ２に沿って切り起こし片１１及び係合用切り起こし片１３を引き起こし、図４に示すように第１及び第２切り欠き部１２、１４を接近させる。さらに切り起こし片１１及び係合用切り起こし片１３を交差させて、第１及び第２切り欠き部１２、１４を係合する。
【００３９】
これにより、図３及び図５に示すように、緩衝物４１の移動を規制する規制部２０を組み立てることができる。規制部２０における切り起こし片１１の内側面１１ｂと係合用切り起こし片１３の内側面１３ｂの２つの内側面は固定板１の上面１ａと、切り起こし片１１の幅方向（図５の紙面と垂直方向）に見て略三角形状を形成している。また、緩衝物４１は、規制部２０の切り起こし部１５の端部２０ａ（図３参照）と対向する位置に配置している。
【００４０】
このようにして、緩衝材５０を組み立てることができるが、緩衝材５０の組み立て順序は特に限定されず、例えば緩衝物４１を固定板１及び切り起こし部１５に接着する前に規制部２０を組み立てることもできる。そして、組み立てられた緩衝材５０を、図６に示すように収納箱６０に収納し、緩衝材５０の上に収納物を載置することができる。
【００４１】
これにより、緩衝物４１の移動を規制部２０により規制することができるため、緩衝物４１の位置ずれや破損を防止することができる。加えて、固定板１に、収納物に応じて緩衝物４１を配置することもできる。また、ここでは内側面１１ｂ、１３ｂの固定板１からの突出長さを略同一としたため、規制部２０をより安定にすることができる。
【００４２】
また、ここでは緩衝物４１の細管５（図２参照）を固定板１と水平方向としたため、上記の通り固定板１と垂直方向のクッション性を高めることができる。また、細管５を図３のＢ方向としたため、かかるＢ方向の耐圧強度を高めることができる。なお、細管５を図３のＣ方向とすれば、かかるＣ方向の耐圧強度を高めることができる。
【００４３】
さらに、細管５をＢ方向とＣ方向に配置した段ボールシート２（図２参照）を交互に積層すれば、Ｂ方向及びＣ方向の耐圧強度を高めることができる。一方、緩衝物４１において固定板１と垂直方向（図５の上下方向）に細管５を配置することによりかかる方向における耐圧強度を高めることができる。このように、緩衝物４１を段ボールシート２の積層体とすることにより、耐圧強度やクッション性を高めることができる。
【００４４】
また、本実施形態では、緩衝物４１の底面と隣接する上記３側面を、切り起こし部１５の側面に接着したため、緩衝物４１の位置ずれや破損を、より防止することができる。かかる切り起こし部１５は、緩衝物４１における切り起こし部１５側の１側面にのみ接着するよう形成しても、かかる面及び上面の２側面に接着するよう形成してもよい。また、接着面が増えるほど緩衝物４１の位置ずれや崩れを防止することができ、ここでは、緩衝物４１の上記３側面を切り起こし部１５の側面に接着したため、一層効果的である。
【００４５】
また、本実施形態において、切り起こし部１５を設けない構成とすることもできる。かかる場合には、例えば、緩衝物４１を挟んで切り起こし片１１及び係合用切り起こし片１３と反対側に、これらと同様の切り起こし片及び係合用切り起こし片を設け、緩衝物４１を挟んで両側に規制部２０を２つ形成することもできる。このように２つの規制部２０を設けることにより緩衝物４１の位置ずれや破損をより防止することができるが、切り起こし片１１及び規制部２０の数量や大きさ等は、固定板１の強度等も考慮して適宜設定することができる。
【００４６】
なお、本実施形態において、切り起こし片１１と係合用切り起こし片１３とを入れ替えて、切り起こし片１１を本発明に係る係合用切り起こし片、係合用切り起こし片１３を本発明に係る切り起こし片とすることもできる。同様に、切り起こし片１１の自由端部１１ａを本発明に係る係合用自由端部、係合用切り起こし片１３の係合用自由端部１３ａを本発明に係る自由端部、第１切り欠き部１２を本発明に係る第２の切り欠き部（係合部）、第２の切り欠き部１４を本発明に係る第１の切り欠き部とすることもできる。
【００４７】
図７は、本発明の第２実施形態に係る緩衝材に用いられる固定板の展開図である。図１と共通する部分には共通する符号を付して説明を省略する。
【００４８】
固定板１の略中央部には、左側に固定板１と折り線Ｌ１を介して連続する切り起こし片１１が設けられている。切り起こし片１１の長手方向中央部には、折り線Ｌ１と略平行な折り線Ｌ６が形成されており、切り起こし片１１の自由端部１１ａには、切り起こし片１１より幅狭の差し込み片１６が延設されている。一方、切り起こし片１１の右側には、所定間隔を隔てて差し込み片１６が差し込まれる差し込み穴１７（係合部）が形成されている。
【００４９】
また、切り起こし片１１、折り線Ｌ６、差し込み片１６及び差し込み穴１７は、差し込み片１６を差し込み穴１７に差し込んだとき、切り起こし片１１が略Ｌ字形状に折り曲がるような位置関係で形成されている。また、後述する図９に示すように、切り起こし片１１の内側面１１ｃ、１１ｄの固定板１からの突出長さが略同一となるよう形成されている。
【００５０】
図８は、緩衝材を組み立てた状態を示す平面図であり、図９は図８の下側から見た側面図である。なお、図８中、抜き部分をハッチングで示す。そして、折り線Ｌ１に沿って切り起こし片１１を引き起こし、折り線Ｌ６に沿って切り起こし片１１を略Ｌ字状に折り曲げた後、差し込み片１６を差し込み穴１７に差し込んで係合する。
【００５１】
これにより、図８及び図９に示すように、緩衝物４１の移動を規制する規制部２０を組み立てることができる。規制部２０における切り起こし片１１の内側面１１ｃ及び１１ｄの２つの内側面は固定板１の上面１ａと、切り起こし片１１の幅方向（図９の紙面と垂直方向）に見て略三角形状を形成している。そして、緩衝物４１を、固定板１における規制部２０の端部２０ａ（図８参照）と対向する位置に接着することにより、緩衝材５０を組み立てることができる。
【００５２】
これにより、緩衝物４１の移動を規制部２０により規制することができるため、緩衝物４１の位置ずれや破損を防止することができる。また、ここでは内側面１１ｃ、１１ｄの固定板１からの突出長さを略同一としたため、規制部２０をより安定にすることができる。また、差し込み片１６先端の幅方向両端部に固定板１の裏面と係合可能な引っ掛け片等を形成し、差し込み片１６を差し込み穴１７により確実に係合させることもできる。なお、緩衝物４１やその他の構成については第１実施形態と同様であるため、説明を省略する。
【００５３】
また、本実施形態では切り起こし片１１を１つ設けたが、図１０に固定板１の変形例として示すように、切り起こし片１１を２つ形成し、かかる２つの切り起こし片１１の差し込み片１６を差し込み穴１７に差し込むことにより、図１１に示すように、緩衝物４１の隣接する２つの側面と対向する２つの規制部２０を組み立てることもできる。また、その他、切り起こし片１１を、緩衝物４１を挟んで反対側に２つ形成することもできる。
【００５４】
このように２つの規制部２０を設けることにより緩衝物４１の位置ずれや破損をより防止することができるが、上記第１実施形態同様、切り起こし片１１及び規制部２０の数量や大きさ等は、固定板１の強度等も考慮して適宜設定することができる。
【００５５】
その他本発明は、上記各実施形態に限定されず、本発明の趣旨を逸脱しない範囲で種々の変更が可能である。例えば、上記第２実施形態において切り起こし部１５を設けることもできる。また、上記第１及び第２実施形態において、切り起こし片１１、係合用切り起こし片１３、第１及び第２切り欠き部１２、１４、差し込み片１６、差し込み穴１７、及び緩衝物４１の大きさ、形状、配置等は、本実施形態に限定されるものではなく、収納物や収納箱の大きさや形状、構造等に応じて適宜設計することができる。
【００５６】
また、上記各実施形態では、規制部２０における内側面１１ｂと１３ｂの突出長さ、及び内側面１１ｃと１１ｄの突出長さをそれぞれ略同一としたが、かかる長さは、これら２つの内側面が固定板１の上面１ａと上記幅方向に見て略三角形状を形成し、規制部２０により緩衝物４１の移動を規制することができれば特に限定されるものではない。また、本発明の緩衝材５０は、画像形成装置の梱包に用いられる他、画像形成装置以外の精密機器、電子機器等にも適用することが可能である。
【産業上の利用可能性】
【００５７】
本発明は、一枚板から形成される固定板に、緩衝作用を有する緩衝物を接着することにより構成される緩衝材において、前記固定板の所定の位置には、切り起こし片と、該切り起こし片の自由端部を係合する係合部と、が形成されており、前記自由端部を前記係合部と係合することにより、前記切り起こし片の幅方向に見て前記固定板の上面と略三角形状を形成する２つの内側面を有し、前記緩衝物の移動を規制する規制部が組み立てられ、前記緩衝物を、前記固定板における前記規制部の前記幅方向一端部と対向する位置に接着するものである。
【００５８】
これにより、緩衝物の位置ずれや破損を防止すると共に、緩衝物を収納物に応じて配置することが可能となる。また、切り起こし片を略Ｌ字形状に折り曲げ可能とし、規制部を、切り起こし片を折り曲げ、自由端部を係合部と係合して組み立てることにより、簡単な構成で容易に規制部を組み立てることができる。また、自由端部に差し込み片を形成し、係合部を差し込み穴とすることにより、より簡単な構成で容易に規制部を組み立てることができる。
【００５９】
また、固定板における切り起こし片と所定間隔を隔てて反対側に、係合部が配置された係合用自由端部を有し、切り起こし片と交差可能な係合用切り起こし片を形成し、規制部を、切り起こし片を係合用切り起こし片と交差させ、自由端部を係合部と係合して組み立てることにより、簡単な構成で容易に規制部を組み立てることができる。また、自由端部に第１の切り欠き部を形成し、係合部を第１の切り欠き部と係合する第２の切り欠き部とすることにより、より簡単な構成で容易に規制部を組み立てることができる。
【００６０】
また、２つの内側面の固定板からの突出長さを略同一とすることにより、規制部をより安定させることができる。また、固定板に緩衝物を接着するための切り起こし部を形成し、緩衝物の底面と隣接する少なくとも１側面を切り起こし部の側面に接着することにより、緩衝物の位置ずれや破損をより防止することができる。
【００６１】
また、固定板に縦目方向及び横目方向を有する段ボールシートから形成された一枚板を用いることにより、コストダウンを図ると共に細管の配設方向によって耐圧強度を変更することができる。また、緩衝物を、縦目方向及び横目方向を有する段ボールシートを複数枚積層させて成る積層体とすることによって、緩衝物の耐圧強度やクッション性を高めることができる。
【図面の簡単な説明】
【００６２】
【図１】は、本発明の第１実施形態に係る緩衝材に用いられる固定板の展開図である。
【図２】は、図１の領域Ａを図の下側から見た部分断面図である。
【図３】は、第１実施形態の緩衝材を組み立てた状態を示す斜視図である。
【図４】は、図３の領域Ｓにおける切り起こし片の自由端部と係合用切り起こし片の係合用自由端部とが接近した状態を示す概念図である。
【図５】は、第１実施形態の緩衝材を組み立てた状態を示す図であって、図３の左下側から見た側面図である。
【図６】は、第１実施形態の緩衝材が収納箱に収納された状態を示す斜視図である。
【図７】は、本発明の第２実施形態に係る緩衝材に用いられる固定板の展開図である。
【図８】は、第２実施形態の緩衝材を組み立てた状態を示す平面図である。
【図９】は、第２実施形態の緩衝材を組み立てた状態を示す図であって、図８の下側から見た側面図である。
【図１０】は、第２実施形態に係る緩衝材に用いられる固定板の変形例を示す展開図である。
【図１１】は、第２実施形態に係る緩衝材の変形例を示す平面図である。
【図１２】は、従来の緩衝物を示す図であり、図１２（ａ）は、緩衝物が位置ずれを生じた状態を示す図であり、図１２（ｂ）は、緩衝物が潰れた状態を示す図である。
【符号の説明】
【００６３】
１            固定板
２            段ボールシート
３            平板
４            波板
５            細管
１１            切り起こし片
１１ａ          自由端部
１１ｂ、１１ｃ、１１ｄ  内側面
１２            第１の切り欠き部
１３            係合用切り起こし片
１３ａ          係合用自由端部
１３ｂ          内側面
１４            第２の切り欠き部（係合部）
１５            切り起こし部
１６            差し込み片
１７            差し込み穴（係合部）
２０            規制部
２０ａ          端部
４１            緩衝物
５０            緩衝材
６０            収納箱
【図１】
2009202924.tif 000003
【図２】
2009202924.tif 000004
【図３】
2009202924.tif 000005
【図４】
2009202924.tif 000006
【図５】
2009202924.tif 000007
【図６】
2009202924.tif 000008
【図７】
2009202924.tif 000009
【図８】
2009202924.tif 000010
【図９】
2009202924.tif 000011
【図１０】
2009202924.tif 000012
【図１１】
2009202924.tif 000013
【図１２】
2009202924.tif 000014